(57)【要約】【課題】施工性の悪化を伴わずに二重床の壁際補強を有効に行うことのできる二重床の壁際補強構造を提供する。【解決手段】支持脚３を建物躯体１の壁面１ｂ近傍の床面１ａ上に適宜間隔を隔てて配置して床パネル４の壁際部位を支持する。床パネル４の壁際部位の下面における支持脚３間の部位に、支持脚３間にわたるような補強桟材５を一体に固定する。【選択図】        図１
2004353203.tif 000002
【特許請求の範囲】
【請求項１】
建物躯体の床面上に支持脚を複数立設し、この支持脚に床パネルをわたすように載設した二重床であって、上記支持脚を建物躯体の壁面近傍の床面上に適宜間隔を隔てて配置して床パネルの壁際部位を支持し、床パネルの壁際部位の下面における支持脚間の部位に、支持脚間にわたるような補強桟材を一体に固定したことを特徴とする二重床の壁際補強構造。
【請求項２】
支持脚と補強桟材との間に、床パネルと共に撓んだ補強桟材を支持脚に接触させないための接触防止用空間を設けたことを特徴とする請求項１記載の二重床の壁際補強構造。
【発明の詳細な説明】
【０００１】
【発明の属する技術分野】
本発明は、二重床の壁際補強構造に関する発明である。
【０００２】
【従来の技術】
一般に床の壁際部分には家具などの重量物を載置する場合が多く、そのため、この床の壁際部分では特に床の沈み込みなどを防止できる強度が必要とされている。ところで、床の工法には、建物躯体の床面上に支持脚を複数立設し、この支持脚に床パネルをわたすように載設することで、建物躯体の床面の上方に床を敷設する二重床工法がある。この二重床の構造にあっては建物躯体の床面と床との間に空間が存在するため床の沈み込みが発生し易く、特に、床の壁際部分での強度確保が必要とされている。
【０００３】
この要求に対し、従来、二重床の壁際部分での強度確保は、たとえば図４のように、建物躯体１の壁面１ｂ近傍における床面１ａ上に根太支持用支持脚１０を立設し、この根太支持用支持脚１０に載設した根太材１１を建物躯体１の壁面１ｂに沿わせて配設し、根太材１１の上に床パネル４の壁際部位を載設する構造を採用したり（たとえば、特許文献１参照）、また、たとえば図５，６のように、建物躯体１の壁面１ｂ近傍における床面１ａ上に支持脚３を立設し、壁面１ｂの近傍に立設した支持脚３間に取付具１２を介して受け桟材１３を架設し、この受け桟材１３の上に床パネル４の壁際部位を載設する構造を採用したりしていた。なお、この取付具１２は、支持脚３の上面に引掛ける水平板状の上板部１２ａと、上記上板部１２ａの側縁から垂直下方に延設させた縦板部１２ｂと、縦板部１２ｂの下端から上板部と反対側の水平方向に突出して受け桟材１３を載設する下板部１２ｃとで構成された略Ｚ字状の板材である。また、建物躯体１の壁面１ｂは図示せる床パネル４の手前側に隣接して存在しているが、透視しているため図示はしていない。なお、図中６は床表面材である。
【０００４】
【特許文献１】
実開平６−８５８４１号公報
【０００５】
【発明が解決しようとする課題】
しかしながら、前者の構造では、床パネル４を支持する支持脚３とは別の根太支持用支持脚１０が必要とされ、また後者の構造では、受け桟材１３を支持脚３に架設する取付具１２が必要とされることから、二重床の壁際部位を補強するのに通常の二重床施工では使用しない部材が必要とされ、またこれら部材を施工作業で適宜配置させなければならず、二重床施工の施工性を悪化させるといった問題がある。
【０００６】
本発明は上記の点に鑑みてなされたものであり、施工性の悪化を伴わずに二重床の壁際補強を有効に行うことのできる二重床の壁際補強構造を提供することを課題とするものである。
【０００７】
【課題を解決するための手段】
上記課題を解決するために本発明に係る二重床の壁際補強構造は、建物躯体１の床面１ａ上に支持脚３を複数立設し、この支持脚３に床パネル４をわたすように載設した二重床であって、上記支持脚３を建物躯体１の壁面１ｂ近傍の床面１ａ上に適宜間隔を隔てて配置して床パネル４の壁際部位を支持し、床パネル４の壁際部位の下面における支持脚３間の部位に、支持脚３間にわたるような補強桟材５を一体に固定したことを特徴とする。
【０００８】
これによると、床パネル４の壁際部位では床パネル４に一体に固定された補強桟材５によって床パネル４の壁際部位自体の強度補強が行われ、そして、この床パネル４の壁際部位は支持脚３に支持されているから、二重床の壁際部位の強度補強が有効に為されるのであり、また、この二重床の壁際部位の強度補強を行うのに通常の二重床施工の他に特別な施工は必要としないのであり、したがって、施工性の悪化を伴わずに二重床の壁際部位の強度補強を行うことができるのである。
【０００９】
また、支持脚３と補強桟材５との間に、床パネル４と共に撓んだ補強桟材５を支持脚３に接触させないための接触防止用空間７を設けたことも好ましい。これによると、二重床の床２の上から大きな荷重がかかったときには、上記床２を一体的に構成する床パネル４と補強桟材５とは共に下方に撓むこととなるが、隣接する補強桟材５と支持脚３との間に接触防止用空間７を設けているので、撓んだ補強桟材５が支持脚３に擦れることがなく、二重床の床鳴りを防止できるのである。
【００１０】
【発明の実施の形態】
図１乃至図３に本発明の実施の形態の例を示す。図１は手前にある建物躯体１の壁面１ｂを透視した二重床の分解斜視図であり、図２は手前にある建物躯体１の壁面１ｂを透視した二重床の正面図であり、図３は図１の矢印方向から見た二重床の分解斜視図である。
【００１１】
本例の二重床も一般的な構造を踏襲しており、つまり、建物躯体１の床面１ａ上に支持脚３を複数立設し、この支持脚３に床パネル４をわたすように載設し、この床パネル４の上に床表面材６を載設することで、建物躯体１の床面１ａの上方に床２を敷設するようにして構成されている。詳しくは、上記支持脚３は、建物躯体１の床面１ａに載置する床設置部３ａと床パネル４を載置させる床パネル載置部３ｂとを柱部３ｃで連結して構成され、柱部３ｃの長さを可変としたことで、床パネル載置部３ｂの上下高さ位置の調節が可能とされている。なお、床パネル載置部３ｂには制振材などが内装されている。また、床パネル４は建物躯体１の床面１ａの上方に敷設する床２の基部を構成するもので予め工場などで製造されるパネル材である。また、床表面材６は上記床２の表面の仕上げを行う装飾性を重視した板材である。
【００１２】
ところで、このような二重床では、従来技術の項でも述べたように、構造的に建物躯体１の床面１ａと床２との間に空間が存在するから床２の沈み込みが発生し易く、特に床２に重量のある家具が載置され易い床２の壁際部分での強度確保を必要とされているのであるが、本例ではこの床２の壁際部分での強度確保は以下のような構造を備えることで行われている。
【００１３】
まず、床パネル４を載置させる上記支持脚３を建物躯体１の壁面１ｂ近傍の床面１ａ上に適宜間隔を隔てて配置し、この支持脚３によって床パネル４の壁際部位を支持している。また、床パネル４の壁際部位の下面における支持脚３間の部位に、支持脚３間にわたるような補強桟材５を一体に固定している。詳しくは、本例の床パネル４は、予め工場などの床パネル製造過程で、床パネル４の壁際部位の下面における支持脚３に載置される部位の間の部位に、床パネル４の壁際部位の端縁に沿うような長尺の補強桟材５を一体に固定させて形成されている。このように、本例の二重床の壁際部位では、支持脚３によって床パネル４の壁際部位が直接支持されており、またこれに加え、補強桟材５によって床パネル４の壁際部位自体の強度補強（特に曲げに対する剛性補強）がなされた構造とされているので、二重床の壁際部位の強度補強が有効に為されている。
【００１４】
なお、上述した本例の二重床の壁際補強構造では、その施工も良好に行うことができるといった利点も有している。つまり、二重床の壁際部位の強度補強を行うのに、通常の二重床施工の他に特別な施工を必要としていないのであり、したがって、施工性の悪化を伴わずに二重床の壁際部位の強度補強を行うことができるのである。
【００１５】
なお、図４の従来技術の例では、構造的に、建物躯体１の壁面１ｂに沿って配設された根太材１１を介在して床２に生じた振動が建物躯体１に伝達してしまい、床２の防音効果を劣化させるといった問題も有していたが、本例の二重床の壁際補強構造では、防音の観点からも良好なものとされている。
【００１６】
つまり、本例の二重床の壁際補強構造では、支持脚３と補強桟材５との間に、床パネル４と共に撓んだ補強桟材５を支持脚３に接触させないための接触防止用空間７を設けており、二重床の床鳴りを防止しているのである。これによると、二重床の床２の上から大きな荷重がかかったときには、上記床２を一体的に構成する床パネル４と補強桟材５とは共に下方に撓むこととなるが、上述したように隣接する補強桟材５と支持脚３との間に接触防止用空間７を設けているので、撓んだ補強桟材５が支持脚３に擦れることが防止されているのであり、これにより、二重床の床鳴りを有効に防止できるようにされているのである。
【００１７】
【発明の効果】
以上説明したように、本発明では、床パネルの壁際部位では床パネルに一体に固定された補強桟材によって床パネルの壁際部位自体の強度補強が行われ、そして、この床パネルの壁際部位は支持脚に支持されているから、二重床の壁際部位の強度補強が有効に為されるのであり、同時に、二重床の壁際部位の強度補強を行うには通常の二重床施工の他に特別な施工を必要とせずに済んでおり、したがって、施工性の悪化を伴わずに二重床の壁際部位の強度補強を行うことが可能とされているのである。
【図面の簡単な説明】
【図１】本発明の実施の形態の例を示す、手前にある建物躯体の壁面を透視した二重床の分解斜視図である。
【図２】同上の、手前にある建物躯体の壁面を透視した二重床の正面図である。
【図３】同上の、他方向（図１の矢印方向）から見た二重床の分解斜視図である。
【図４】従来技術の例の二重床の斜視図である。
【図５】従来技術の他例であり、手前にある建物躯体の壁面を透視した二重床の斜視図である。
【図６】同上の、手前にある建物躯体の壁面を透視した二重床の正面図である。
【符号の説明】
１  建物躯体
１ａ  床面
１ｂ  壁面
２  床
３  支持脚
４  床パネル
５  補強桟材
６  床表面材
７  接触防止用空間
【図１】
2004353203.tif 000003
【図２】
2004353203.tif 000004
【図３】
2004353203.tif 000005
【図４】
2004353203.tif 000006
【図５】
2004353203.tif 000007
【図６】
2004353203.tif 000008